(57)【要約】【課題】リダイレクション技術によりＵＭＴＳセルからＬＴＥセルに移行する移動端末ＵＥが、ＬＴＥ方式での通信を開始できない場合に、ＵＭＴＳ方式での通信を開始可能とする。【解決手段】本発明の移動端末ＵＥは、ＵＭＴＳ方式で通信可能なＵＭＴＳセルとＬＴＥ方式で通信可能なＬＴＥセルとの重複エリアにおいて、ＬＴＥ方式をサポートすることを示すＬＴＥサポート識別子を含むコネクション要求信号をＵＭＴＳ方式の無線制御装置ＲＮＣに送信することによって、ＵＭＴＳセルからＬＴＥセルに移行するように無線制御装置ＲＮＣから指示される。また、移動端末ＵＥは、ＬＴＥ方式のトラッキングエリアへの位置登録に失敗したことを示す位置登録失敗信号が受信された場合、ＬＴＥ方式を非サポート状態にして無線制御装置ＲＮＣとのコネクション設定処理を行うコネクション設定処理部を具備する。【選択図】図１
2011142545.tif 000002
【特許請求の範囲】
【請求項１】
第１方式で通信可能な第１セルと第２方式で通信可能な第２セルとの重複エリアにおいて、前記第２方式をサポートすることを示すサポート識別子を含むコネクション要求信号を前記第１方式の第１無線アクセス装置に送信することによって、前記第１セルから前記第２セルに移行するように前記第１無線アクセス装置から指示される移動端末であって、
前記第２方式の第２位置登録エリアへの位置登録に失敗したことを示す位置登録失敗信号が受信された場合、前記第２方式を非サポート状態にして前記第１無線アクセス装置とのコネクション設定処理を行うコネクション設定処理部を具備することを特徴とする移動端末。
【請求項２】
前記コネクション設定処理部は、
前記サポート識別子を含まないコネクション要求信号を前記第１無線アクセス装置に送信するとともに、
前記第１無線アクセス装置からのコネクション設定信号に応じて前記第１無線アクセス装置との間のコネクションを設定した後に、前記第２方式をサポートしないことを示す非サポート識別子と前記第１方式から前記第２方式へのシステム間ハンドオーバをサポートしないことを示すハンドオーバ非サポート識別子とを含むコネクション設定完了信号を前記第１無線アクセス装置に送信することにより、
前記第２方式を非サポート状態にして前記コネクション設定処理を行うことを特徴とする請求項１に記載の移動端末。
【請求項３】
前記コネクション設定処理部は、他の公衆移動通信網（ＰＬＭＮ）が選択された場合、又は、該移動端末の電源がオンに設定された場合、前記第２方式をサポート状態にして前記コネクション設定処理を行うことを特徴とする請求項１に記載の移動端末。
【請求項４】
該移動端末の電源がオフに設定される場合、前記第２方式をサポート状態とすることを示すサポート状態識別子を記憶する記憶部を更に具備し、
前記コネクション設定処理部は、該移動端末の電源がオンに設定された場合、前記記憶部に記憶されたサポート状態識別子に応じて、前記第２方式をサポート状態にして前記コネクション設定処理を行うことを特徴とする請求項１に記載の移動端末。
【請求項５】
前記コネクション設定処理部は、前記第１無線アクセス装置に対して前記サポート識別子を含むコネクション要求信号を送信することにより、前記第２方式をサポート状態にして前記コネクション設定処理を行うことを特徴とする請求項３又は４に記載の移動端末。
【請求項６】
前記位置登録失敗信号が受信された場合、前記第２方式をサポートしていることを示す関連情報を含まない位置登録要求信号を前記第１方式の交換機に送信することにより、前記第２方式を非サポート状態にして前記第１方式の第１位置登録エリアへの位置登録処理を行う位置登録処理部を更に具備することを特徴とする請求項１に記載の移動端末。
【請求項７】
前記位置登録処理部は、他の公衆移動通信網（ＰＬＭＮ）が選択された場合、又は、該移動端末の電源がオンに設定された場合、前記関連情報を含む位置登録要求信号を前記第１方式の交換機に送信することにより、前記第２方式をサポート状態にして前記位置登録処理を行うことを特徴とする請求項６に記載の移動端末。
【請求項８】
該移動端末の電源がオフに設定される場合、前記第２方式をサポート状態とすることを示すサポート状態識別子を記憶する記憶部を更に具備し、
前記位置登録処理部は、該移動端末の電源がオンに設定された場合、前記記憶部に記憶されたサポート状態識別子に応じて、前記関連情報を含む位置登録要求信号を前記第１方式の交換機に送信することにより、前記第２方式をサポート状態にして前記位置登録処理を行うことを特徴とする請求項７に記載の移動端末。
【請求項９】
前記位置登録失敗信号は、前記第２位置登録エリア内に適切な第２セルがないことを原因として前記第２位置登録エリアへの位置登録に失敗したことを示すことを特徴とする請求項１乃至８のいずれかに記載の移動端末。
【請求項１０】
第１方式で通信可能な第１セルと第２方式で通信可能な第２セルとの重複エリアにおいて、移動端末が、前記第２方式をサポートすることを示すサポート識別子を含むコネクション要求信号を前記第１方式の第１無線アクセス装置に送信することによって、前記第１無線アクセス装置が、前記第１セルから前記第２セルに移行するように前記移動端末に指示する移動通信方法であって、
前記移動端末は、前記第２方式の第２位置登録エリアへの位置登録に失敗したことを示す位置登録失敗信号が受信された場合、前記第２方式を非サポート状態にして、前記第１無線アクセス装置とのコネクション設定処理を行うことを特徴とする移動通信方法。
【発明の詳細な説明】
【技術分野】
【０００１】
本発明は、ＵＭＴＳ方式で通信可能なセルとＬＴＥ方式で通信可能なセルとの重複エリアにおいて通信を行う移動端末及び移動通信方法に関する。
【背景技術】
【０００２】
近年、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）方式で通信可能なセル（以下、ＵＭＴＳセルという）とＬＴＥ（Ｌｏｎｇ  Ｔｅｒｍ  Ｅｖｏｌｕｔｉｏｎ）方式で通信可能なセル（以下、ＬＴＥセルという）との重複エリアにおいて、ＵＭＴＳセルに在圏する移動端末ＵＥをより高機能な通信サービスを提供するＬＴＥセルに迅速に移行させるリダイレクション技術が検討されている（例えば、非特許文献１）。
【０００３】
図１１は、リダイレクション技術の一例を示す図である。図１１において、ＵＭＴＳセルに在圏している移動端末ＵＥは、ＬＴＥセルとの重複エリアにおいて通信を開始しようとする場合、ＲＲＣ（Ｒａｄｉｏ  Ｒｅｓｏｕｒｃｅ  Ｃｏｎｔｒｏｌ）コネクションの設定を要求する「ＲＲＣ  ＣＯＮＮＥＣＴＩＯＮ  ＲＥＱＵＥＳＴ」をＵＭＴＳ方式の無線制御装置ＲＮＣに送信する（ステップＳ１００１）。
【０００４】
無線制御装置ＲＮＣは、移動端末ＵＥからの「ＲＲＣ  ＣＯＮＮＥＣＴＩＯＮ  ＲＥＱＵＥＳＴ」に、ＬＴＥ方式をサポートすることを示すＬＴＥサポート識別子が含まれる場合、移動端末ＵＥをＬＴＥセルに移行させるべきであると判断し、ＲＲＣコネクションの設定を拒否する「ＲＲＣ  ＣＯＮＮＥＣＴＩＯＮ  ＲＥＪＥＣＴ」を移動端末ＵＥに送信する（ステップＳ１００２）。
【０００５】
移動端末ＵＥは、無線制御装置ＲＮＣからの「ＲＲＣ  ＣＯＮＮＥＣＴＩＯＮ  ＲＥＪＥＣＴ」に含まれるＬＴＥセルへの移行指示に従ってＬＴＥセルに移行し、「ＲＲＣ  ＣＯＮＮＥＣＴＩＯＮ  ＲＥＱＵＥＳＴ」をＬＴＥ方式の無線基地局ｅＮＢに送信する（ステップＳ１００３）。移動端末ＵＥは、無線基地局ｅＮＢとの間でＲＲＣコネクションを設定する（ステップＳ１００４）。
【先行技術文献】
【非特許文献】
【０００６】
【非特許文献１】3GPP  TS25.331  v8.9.0：Radio  Resource  Control  (RRC)
【発明の概要】
【発明が解決しようとする課題】
【０００７】
ところで、上述のリダイレクション技術によりＬＴＥセルに移行する移動端末ＵＥは、無線基地局ｅＮＢとＲＲＣコネクションの設定後に、トラッキングエリアへの位置登録を行うことにより、ＬＴＥ方式での通信が可能となる。しかしながら、例えば、移動端末ＵＥがホームＰＬＭＮ（Ｐｕｂｌｉｃ  Ｌａｎｄ  Ｍｏｂｉｌｅ  Ｎｅｔｗｏｒｋ）のＬＴＥセルに在圏していても、移動端末ＵＥとホームＰＬＭＮとの間でＬＴＥ方式の通信サービスを提供するための契約が行われていない場合や、移動端末ＵＥがローミング先のＰＬＭＮのＬＴＥセルに在圏していても、ローミング先のＰＬＭＮとホームＰＬＭＮとの間でＬＴＥ方式のローミングサービスを提供するための契約が行われていない場合、移動端末ＵＥは、トラッキングエリアへの位置登録に失敗してしまい、ＬＴＥ方式での通信を開始できない。
【０００８】
この場合、移動端末ＵＥは、ＵＭＴＳセルに戻り、ＵＭＴＳ方式の無線制御装置ＲＮＣとの間でＲＲＣコネクションの再設定を試みる。しかしながら、この移動端末ＵＥは、上述のリダイレクション技術によりＬＴＥセルに移行されてしまうため、移動端末ＵＥは、移行先のＬＴＥセルで通信を開始できずにＵＭＴＳセルに戻り、リダイレクション技術によりＵＭＴＳセルでの通信を開始できずにＬＴＥセルに移行するという動作を繰り返してしまう。
【０００９】
このように、リダイレクション技術によりＵＭＴＳセルからＬＴＥセルに移行する移動端末ＵＥがＬＴＥ方式での通信を開始できない場合、ＬＴＥセルとＵＭＴＳセルとの間での移行を繰り返す結果、ＵＭＴＳ方式又はＬＴＥ方式のいずれでも通信を開始できなくなってしまうという問題点があった。
【００１０】
本発明は、かかる点に鑑みてなされたものであり、リダイレクション技術によりＵＭＴＳセルからＬＴＥセルに移行する移動端末ＵＥが、ＬＴＥ方式での通信を開始できない場合に、ＵＭＴＳ方式での通信を開始可能とする移動端末及び移動通信方法を提供することを目的とする。
【課題を解決するための手段】
【００１１】
本発明の移動端末は、第１方式で通信可能な第１セルと第２方式で通信可能な第２セルとの重複エリアにおいて、前記第２方式をサポートすることを示すサポート識別子を含むコネクション要求信号を前記第１方式の第１無線アクセス装置に送信することによって、前記第１セルから前記第２セルに移行するように前記第１無線アクセス装置から指示される移動端末であって、前記第２方式の第２位置登録エリアへの位置登録に失敗したことを示す位置登録失敗信号が受信された場合、前記第２方式を非サポート状態にして前記第１無線アクセス装置とのコネクション設定処理を行うコネクション設定処理部を具備する。
【００１２】
この構成によれば、第２位置登録エリアへの位置登録に失敗したことを示す位置登録失敗信号が受信された場合、第２方式を非サポート状態にして第１無線アクセス装置とのコネクション設定処理を行うので、移動端末は、第２方式での通信を開始できずに第１セルに戻ったあと、再通信要求を行った場合でも、第２セルに再移行されることなく、第１方式での通信を開始することができる。
【００１３】
また、本発明は、上記移動端末において、前記コネクション設定処理部は、前記サポート識別子を含まないコネクション要求信号を前記第１無線アクセス装置に送信するとともに、前記第１無線アクセス装置からのコネクション設定信号に応じて前記第１無線アクセス装置との間のコネクションを設定した後に、前記第２方式をサポートしないことを示す非サポート識別子と前記第１方式から前記第２方式へのシステム間ハンドオーバをサポートしないことを示すハンドオーバ非サポート識別子とを含むコネクション設定完了信号を前記第１無線アクセス装置に送信することにより、前記第２方式を非サポート状態にして前記コネクション設定処理を行ってもよい。
【００１４】
また、本発明は、上記移動端末において、前記コネクション設定処理部は、他の公衆移動通信網（ＰＬＭＮ）が選択された場合、又は、該移動端末の電源がオンに設定された場合、前記第２方式をサポート状態にして前記コネクション設定処理を行ってもよい。
【００１５】
また、本発明は、上記移動端末において、該移動端末の電源がオフに設定される場合、前記第２方式をサポート状態とすることを示すサポート状態識別子を記憶する記憶部を更に具備し、前記コネクション設定処理部は、該移動端末の電源がオンに設定された場合、前記記憶部に記憶されたサポート状態識別子に応じて、前記第２方式をサポート状態にして前記コネクション設定処理を行ってもよい。
【００１６】
また、本発明は、上記移動端末において、前記コネクション設定処理部は、前記第１無線アクセス装置に対して前記サポート識別子を含むコネクション要求信号を送信することにより、前記第２方式をサポート状態にして前記コネクション設定処理を行ってもよい。
【００１７】
また、本発明は、上記移動端末において、前記位置登録失敗信号が受信された場合、前記第２方式をサポートしていることを示す関連情報を含まない位置登録要求信号を前記第１方式の交換機に送信することにより、前記第２方式を非サポート状態にして前記第１方式の第１位置登録エリアへの位置登録処理を行う位置登録処理部を更に具備してもよい。
【００１８】
また、本発明は、上記移動端末において、前記位置登録処理部は、他の公衆移動通信網（ＰＬＭＮ）が選択された場合、又は、該移動端末の電源がオンに設定された場合、前記関連情報を含む位置登録要求信号を前記第１方式の交換機に送信することにより、前記第２方式をサポート状態にして前記位置登録処理を行ってもよい。
【００１９】
また、本発明は、上記移動端末において、該移動端末の電源がオフに設定される場合、前記第２方式をサポート状態とすることを示すサポート状態識別子を記憶する記憶部を更に具備し、前記位置登録処理部は、該移動端末の電源がオンに設定された場合、前記記憶部に記憶されたサポート状態識別子に応じて、前記関連情報を含む位置登録要求信号を前記第１方式の交換機に送信することにより、前記第２方式をサポート状態にして前記位置登録処理を行ってもよい。
【００２０】
また、本発明は、上記移動端末において、前記位置登録失敗信号は、前記第２位置登録エリア内に適切な第２セルがないことを原因として前記第２位置登録エリアへの位置登録に失敗したことを示してもよい。
【００２１】
また、本発明の移動通信方法は、第１方式で通信可能な第１セルと第２方式で通信可能な第２セルとの重複エリアにおいて、移動端末が、前記第２方式をサポートすることを示すサポート識別子を含むコネクション要求信号を前記第１方式の第１無線アクセス装置に送信することによって、前記第１無線アクセス装置が、前記第１セルから前記第２セルに移行するように前記移動端末に指示する移動通信方法であって、前記移動端末は、前記第２方式の第２位置登録エリアへの位置登録に失敗したことを示す位置登録失敗信号が受信された場合、前記第２方式を非サポート状態にして、前記第１無線アクセス装置とのコネクション設定処理を行う。
【発明の効果】
【００２２】
本発明によれば、リダイレクション技術によりＵＭＴＳセルからＬＴＥセルに移行する移動端末ＵＥが、ＬＴＥ方式での通信を開始できない場合に、ＵＭＴＳ方式での通信を開始可能とする移動端末及び移動通信方法を提供できる。
【図面の簡単な説明】
【００２３】
【図１】本発明の第１の実施形態に係る移動通信システムの構成図である。
【図２】本発明の第１の実施形態に係る移動端末の機能ブロック図である。
【図３】本発明の第１の実施形態に係る「ＲＲＣ  ＣＯＮＮＥＣＴＩＯＮ  ＲＥＱＵＥＳＴ」のメッセージフォーマットの一例である。
【図４】本発明の第１の実施形態に係る「ＲＲＣ  ＣＯＮＮＥＣＴＩＯＮ  ＲＥＱＵＥＳＴ」のメッセージフォーマットの別の例である。
【図５】本発明の第１の実施形態に係る「ＲＲＣ  ＣＯＮＮＥＣＴＩＯＮ  ＳＥＴＵＰ  ＣＯＭＰＬＥＴＥ」のメッセージフォーマットの一例である。
【図６】本発明の第１の実施形態に係る「ＲＲＣ  ＣＯＮＮＥＣＴＩＯＮ  ＳＥＴＵＰ  ＣＯＭＰＬＥＴＥ」のメッセージフォーマットの別の例である。
【図７】本発明の第１の実施形態に係る「ＡＴＴＡＣＨ  ＲＥＱＵＥＳＴ／ＲＯＵＴＩＮＧ  ＡＲＥＡ  ＵＰＤＡＴＥ  ＲＥＱＵＥＳＴ」のメッセージフォーマットの一例である。
【図８】本発明の第１の実施形態に係る「ＡＴＴＡＣＨ  ＲＥＱＵＥＳＴ／ＲＯＵＴＩＮＧ  ＡＲＥＡ  ＵＰＤＡＴＥ  ＲＥＱＵＥＳＴ」のメッセージフォーマットの別の例である。
【図９】本発明の第１の実施形態に係る移動通信方法を示すシーケンス図である。
【図１０】本発明の第１の実施形態に係る移動通信方法を示すシーケンス図である。
【図１１】従来の移動通信方法を示すシーケンス図である。
【発明を実施するための形態】
【００２４】
以下、本発明の実施の形態について説明する。なお、以下の図面の記載において、同一または類似の部分には、同一または類似の符号を付している。
【００２５】
＜移動通信システムの全体概略構成＞
図１は、第１の実施形態に係る移動通信システムの構成図である。図１に示すように、移動通信システムは、無線基地局ＮＢ、無線制御装置ＲＮＣ及び交換機ＳＧＳＮを含むＵＭＴＳシステムと、無線基地局ｅＮＢ及び交換機ＭＭＥを含むＬＴＥシステムと、ＵＭＴＳシステム及びＬＴＥシステムに接続可能な移動端末ＵＥと、移動端末ＵＥの属する位置登録エリアを管理する加入者管理サーバＨＳＳとから構成される。
【００２６】
ＵＭＴＳシステムの無線基地局ＮＢは、ＵＭＴＳ方式（第１方式）で通信可能なＵＭＴＳセル（第１セル）を形成する。無線制御装置ＲＮＣ（第１無線アクセス装置）は、ＵＭＴＳセルに在圏する移動端末ＵＥとＲＲＣコネクションを設定する。交換機ＳＧＳＮは、加入者管理サーバＨＳＳに対して、ルーティングエリア（第１位置登録エリア）への移動端末ＵＥの位置登録処理を行う。ここで、ルーティングエリアとは、ＵＭＴＳ方式の位置登録エリアであり、１つ以上のＵＭＴＳセルから構成される。
【００２７】
ＬＴＥシステムの無線基地局ｅＮＢ（第２無線アクセス装置）は、ＬＴＥ方式（第２方式）で通信可能なＬＴＥセル（第２セル）を形成し、ＬＴＥセルに在圏する移動端末ＵＥとＲＲＣコネクションを設定する。交換機ＭＭＥは、加入者管理サーバＨＳＳに対して、トラッキングエリア（第２位置登録エリア）への移動端末ＵＥの位置登録処理を行う。ここで、トラッキングエリアとは、ＬＴＥ方式の位置登録エリアであり、１つ以上のＬＴＥセルから構成される。
【００２８】
移動端末ＵＥは、ＵＭＴＳセルとＬＴＥセルとの重複エリアにおいて、ＵＭＴＳセルに在圏する場合、ＵＭＴＳシステムの無線制御装置ＲＮＣに対して、ＬＴＥ方式をサポートすることを示すＬＴＥサポート識別子（サポート識別子）を含む「ＲＲＣ  ＣＯＮＮＥＣＴＩＯＮ  ＲＥＱＵＥＳＴ（コネクション要求信号）」を送信することによって、ＵＭＴＳセルからＬＴＥセルに移行するように、無線制御装置ＲＮＣから指示される。
【００２９】
＜移動端末ＵＥの構成＞
次に、第１の実施形態に係る移動端末ＵＥの構成について説明する。図２は、第１の実施形態に係る移動端末ＵＥの構成図である。図２に示すように、移動端末ＵＥは、送受信部１０と、通信制御部２０と、記憶部３０とから構成される。なお、移動端末ＵＥは、通信インターフェース、プロセッサ、メモリ、ディスプレイ、入力キーを含むハードウェアを有しており、メモリには、プロセッサによって実行されるソフトウェアモジュールが記憶されている。以下の送受信部１０や通信制御部２０の機能は、上述のハードウェアによって実現されてもよいし、プロセッサによって実行されるソフトウェアモジュールによって実現されてもよいし、両者の組み合わせによって実現されてもよい。また、記憶部３０の機能は、上述のメモリでだけでなく、移動端末ＵＥに挿入されるＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）などによって実現されてもよい。
【００３０】
送受信部１０は、無線基地局ＮＢ又は無線基地局ｅＮＢとの間で無線チャネルを設定し、設定した無線チャネルを介して無線信号を送受信するものである。具体的には、送受信部１０は、通信制御部２０によって生成された信号に対して符号化処理、変調処理などを施し、無線チャネルを介して無線基地局ＮＢ又は無線基地局ｅＮＢに送信する。また、送受信部１０は、無線基地局ＮＢ又は無線基地局ｅＮＢからの受信信号に対して復調処理、復号化処理などを施し、通信制御部２０に通知する。
【００３１】
通信制御部２０は、送受信部１０を制御することにより、無線制御装置ＲＮＣ、交換機ＳＧＳＮ、無線基地局ｅＮＢ、交換機ＭＭＥとの間で、論理的に信号の送受信を行うものである。通信制御部２０は、ＵＭＴＳコネクション設定処理部２１、ＵＭＴＳ位置登録処理部２２、ＬＴＥコネクション設定処理部２３、ＬＴＥ位置登録処理部２４、状態決定部２５を具備する。
【００３２】
ＵＭＴＳコネクション設定処理部２１は、後述する状態決定部２５によってＬＴＥ方式を非サポート状態にすることが決定された場合、ＬＴＥ方式を非サポート状態にして、無線制御装置ＲＮＣとのコネクション設定処理を行う。
【００３３】
具体的には、ＵＭＴＳコネクション設定処理部２１は、ＬＴＥ方式を非サポート状態にすることが決定された場合、ＬＴＥサポート識別子を含まない「ＲＲＣ  ＣＯＮＮＥＣＴＩＯＮ  ＲＥＱＵＥＳＴ」を無線制御装置ＲＮＣに送信する。
【００３４】
ここで、「ＲＲＣ  ＣＯＮＮＥＣＴＩＯＮ  ＲＥＱＵＥＳＴ」とは、ＲＲＣコネクションの設定を要求するコネクション要求信号である。また、ＬＴＥサポート識別子（サポート識別子）とは、ＬＴＥ方式をサポートすることを示すものであり、例えば、「Ｐｒｅ−ｒｅｄｉｒｅｃｔｉｏｎ  ｉｎｆｏ」が用いられてもよいし、「ＴＲＵＥ」に設定された「Ｓｕｐｐｏｒｔ  ｏｆ  Ｅ−ＵＴＲＡ  ＦＤＤ」が用いられてもよい。
【００３５】
図３は、「ＲＲＣ  ＣＯＮＮＥＣＴＩＯＮ  ＲＥＱＵＥＳＴ」のメッセージフォーマットの一例である。図３に示すメッセージフォーマットには、「Ｐｒｅ−ｒｅｄｉｒｅｃｔｉｏｎ  ｉｎｆｏ」が含まれる。ＵＭＴＳコネクション設定処理部２１は、図３に示すメッセージフォーマットを使用し、かつ「Ｐｒｅ−ｒｅｄｉｒｅｃｔｉｏｎ  ｉｎｆｏ」を設定しないことによって、ＬＴＥサポート識別子を含まない「ＲＲＣ  ＣＯＮＮＥＣＴＩＯＮ  ＲＥＱＵＥＳＴ」を生成してもよい。
【００３６】
図４は、「ＲＲＣ  ＣＯＮＮＥＣＴＩＯＮ  ＲＥＱＵＥＳＴ」のメッセージフォーマットの別の例である。図４に示すメッセージフォーマットには、「Ｐｒｅ−ｒｅｄｉｒｅｃｔｉｏｎ  ｉｎｆｏ」が含まれていない。ＵＭＴＳコネクション設定処理部２１は、図４に示すメッセージフォーマットを使用することによって、ＬＴＥサポート識別子を含まない「ＲＲＣ  ＣＯＮＮＥＣＴＩＯＮ  ＲＥＱＵＥＳＴ」を生成してもよい。
【００３７】
また、ＵＭＴＳコネクション設定処理部２１は、ＬＴＥ方式を非サポート状態にすることが決定された場合、無線制御装置ＲＮＣからの「ＲＲＣ  ＣＯＮＮＥＣＴＩＯＮ  ＳＥＴＵＰ」に応じて、ＬＴＥ非サポート識別子とＬＴＥ−ＨＯ非サポート識別子とを含む「ＲＲＣ  ＣＯＮＮＥＣＴＩＯＮ  ＳＥＴＵＰ  ＣＯＭＰＬＥＴＥ」を無線制御装置ＲＮＣに送信する。また、ＵＭＴＳコネクション設定処理部２１は、ＬＴＥ方式を非サポート状態にすることが決定された場合、ＬＴＥサポート識別子及びＬＴＥ−ＨＯサポート識別子を含まない「ＲＲＣ  ＣＯＮＮＥＣＴＩＯＮ  ＳＥＴＵＰ  ＣＯＭＰＬＥＴＥ」を無線制御装置ＲＮＣに送信してもよい。
【００３８】
ここで、「ＲＲＣ  ＣＯＮＮＥＣＴＩＯＮ  ＳＥＴＵＰ」とは、ＲＲＣコネクションを設定するネクション設定信号である。また、「ＲＲＣ  ＣＯＮＮＥＣＴＩＯＮ  ＳＥＴＵＰ  ＣＯＭＰＬＥＴＥ」とは、ＲＲＣコネクションの設定完了を通知するコネクション設定完了信号である。
【００３９】
また、ＬＴＥ−ＨＯサポート識別子（ハンドオーバサポート識別子）とは、ＵＭＴＳ方式からＬＴＥ方式へのシステム間ハンドオーバをサポートすることを示すものであり、例えば、「ＴＲＵＥ」に設定された「Ｓｕｐｐｏｒｔ  ｏｆ  Ｉｎｔｅｒ‐ＲＡＴ  ＰＳ  Ｈａｎｄｏｖｅｒ  ｔｏ  Ｅ−ＵＴＲＡＮ」が用いられる。また、ＬＴＥ非サポート識別子（非サポート識別子）とは、ＬＴＥ方式をサポートしないことを示すものであり、例えば、「ＦＡＬＳＥ」に設定された「Ｓｕｐｐｏｒｔ  ｏｆ  Ｅ−ＵＴＲＡ  ＦＤＤ」が用いられる。また、ＬＴＥ−ＨＯ非サポート識別子（ハンドオーバ非サポート識別子）とは、ＵＭＴＳ方式からＬＴＥ方式へのシステム間ハンドオーバをサポートしないことを示すものであり、例えば、「ＦＡＬＳＥ」に設定された「Ｓｕｐｐｏｒｔ  ｏｆ  Ｉｎｔｅｒ‐ＲＡＴ  ＰＳ  Ｈａｎｄｏｖｅｒ  ｔｏ  Ｅ−ＵＴＲＡＮ」が用いられる。
【００４０】
図５は、「ＲＲＣ  ＣＯＮＮＥＣＴＩＯＮ  ＳＥＴＵＰ  ＣＯＭＰＬＥＴＥ」のメッセージフォーマットの一例である。図５（ａ）に示すメッセージフォーマットには、「ＵＥ  ｒａｄｉｏ  ａｃｃｅｓｓ  ｃａｐａｂｉｌｉｔｙ」が含まれており、「ＵＥ  ｒａｄｉｏ  ａｃｃｅｓｓ  ｃａｐａｂｉｌｉｔｙ」は、図５（ｂ）に示すように、「ＵＥ  Ｍｕｌｔｉ‐ｍｏｄｅ／Ｍｕｌｔｉ−ＲＡＴ  ｃａｐａｂｉｌｉｔｙ」を含む。さらに、「ＵＥ  Ｍｕｌｔｉ‐ｍｏｄｅ／Ｍｕｌｔｉ−ＲＡＴ  ｃａｐａｂｉｌｉｔｙ」は、図５（ｃ）に示すように、「Ｓｕｐｐｏｒｔ  ｏｆ  Ｅ−ＵＴＲＡ  ＦＤＤ」及び「Ｓｕｐｐｏｒｔ  ｏｆ  Ｉｎｔｅｒ‐ＲＡＴ  ＰＳ  Ｈａｎｄｏｖｅｒ  ｔｏ  Ｅ−ＵＴＲＡ  ＦＤＤ」を含む。ＵＭＴＳコネクション設定処理部２１は、図５（ａ）〜（ｃ）に示すメッセージフォーマットを使用し、かつ「Ｓｕｐｐｏｒｔ  ｏｆ  Ｅ−ＵＴＲＡ  ＦＤＤ」及び「Ｓｕｐｐｏｒｔ  ｏｆ  Ｉｎｔｅｒ‐ＲＡＴ  ＰＳ  Ｈａｎｄｏｖｅｒ  ｔｏ  Ｅ−ＵＴＲＡ  ＦＤＤ」を「ＦＡＬＳＥ」に設定することによって、ＬＴＥ非サポート識別子とＬＴＥ−ＨＯ非サポート識別子とを含む「ＲＲＣ  ＣＯＮＮＥＣＴＩＯＮ  ＳＥＴＵＰ  ＣＯＭＰＬＥＴＥ」を生成してもよい。
【００４１】
図６は、「ＲＲＣ  ＣＯＮＮＥＣＴＩＯＮ  ＳＥＴＵＰ  ＣＯＭＰＬＥＴＥ」のメッセージフォーマットの別の例である。図６（ａ）〜（ｃ）に示すメッセージフォーマットにおいて、図６（ｃ）に示す「ＵＥ  Ｍｕｌｔｉ‐ｍｏｄｅ／Ｍｕｌｔｉ−ＲＡＴ  ｃａｐａｂｉｌｉｔｙ」は、「Ｓｕｐｐｏｒｔ  ｏｆ  Ｅ−ＵＴＲＡ  ＦＤＤ」及び「Ｓｕｐｐｏｒｔ  ｏｆ  Ｉｎｔｅｒ‐ＲＡＴ  ＰＳ  Ｈａｎｄｏｖｅｒ  ｔｏ  Ｅ−ＵＴＲＡ  ＦＤＤ」を含んでいない。ＵＭＴＳコネクション設定処理部２１は、図６（ａ）〜（ｃ）に示すメッセージフォーマットを使用することによって、ＬＴＥサポート識別子とＬＴＥ−ＨＯサポート識別子とを含まない「ＲＲＣ  ＣＯＮＮＥＣＴＩＯＮ  ＳＥＴＵＰ  ＣＯＭＰＬＥＴＥ」を生成してもよい。
【００４２】
また、ＵＭＴＳコネクション設定処理部２１は、状態決定部２５によってＬＴＥ方式をサポート状態にすることが決定された場合、ＬＴＥサポート識別子を含む「ＲＲＣ  ＣＯＮＮＥＣＴＩＯＮ  ＲＥＱＵＥＳＴ」を無線制御装置ＲＮＣに送信する。例えば、ＵＭＴＳコネクション設定処理部２１は、図３に示すメッセージフォーマットを使用し、かつ「Ｐｒｅ−ｒｅｄｉｒｅｃｔｉｏｎ  ｉｎｆｏ」を設定することによって、ＬＴＥサポート識別子を含む「ＲＲＣ  ＣＯＮＮＥＣＴＩＯＮ  ＲＥＱＵＥＳＴ」を生成してもよい。
【００４３】
また、ＵＭＴＳコネクション設定処理部２１は、状態決定部２５によってＬＴＥ方式をサポート状態にすることが決定された場合、無線制御装置ＲＮＣからの「ＲＲＣ  ＣＯＮＮＥＣＴＩＯＮ  ＳＥＴＵＰ」に応じて、ＬＴＥサポート識別子を含む「ＲＲＣ  ＣＯＮＮＥＣＴＩＯＮ  ＳＥＴＵＰ  ＣＯＭＰＬＥＴＥ」を無線制御装置ＲＮＣに送信する。ＵＭＴＳコネクション設定処理部２１は、図５（ａ）〜（ｃ）に示すメッセージフォーマットを使用し、かつ「Ｓｕｐｐｏｒｔ  ｏｆ  Ｅ−ＵＴＲＡ  ＦＤＤ」を「ＴＲＵＥ」に設定することによって、ＬＴＥサポート識別子を含む「ＲＲＣ  ＣＯＮＮＥＣＴＩＯＮ  ＲＥＱＵＥＳＴ」を生成してもよい。なお、ＵＭＴＳコネクション設定処理部２１は、移動端末ＵＥがＵＭＴＳシステムからＬＴＥシステムへのシステム間ハンドオーバを行う機能を備えている場合、ＬＴＥサポート識別子に加えてＬＴＥ−ＨＯサポート識別子（例えば、「ＴＲＵＥ」に設定された「Ｓｕｐｐｏｒｔ  ｏｆ  Ｉｎｔｅｒ−ＲＡＴ  ＰＳ  Ｈａｎｄｏｖｅｒ  ｔｏ  Ｅ−ＵＴＲＡ  ＦＤＤ」）を含む「ＲＲＣ  ＣＯＮＮＥＣＴＩＯＮ  ＳＥＴＵＰ」を無線制御装置ＲＮＣに送信してもよい。
【００４４】
また、ＵＭＴＳコネクション設定処理部２１は、ＬＴＥサポート識別子を含むＲＲＣ  ＣＯＮＮＥＣＴＩＯＮ  ＲＥＱＵＥＳＴ」を無線制御装置ＲＮＣに送信する場合、ＬＴＥセルへの移行指示を含む「ＲＲＣ  ＣＯＮＮＥＣＴＩＯＮ  ＲＥＪＥＣＴ」を無線制御装置ＲＮＣから受信する。ここで、「ＲＲＣ  ＣＯＮＮＥＣＴＩＯＮ  ＲＥＪＥＣＴ」とは、ＲＲＣコネクションの設定を拒否するコネクション拒否信号である。また、ＬＴＥセルへの移行指示としては、例えば、「Ｒｅｄｉｒｅｃｔｉｏｎ  ｉｎｆｏ」が用いられる。
【００４５】
ＵＭＴＳ位置登録処理部２２は、状態決定部２５によってＬＴＥ方式を非サポート状態にすることが決定された場合、ＬＴＥ方式を非サポート状態にして、ルーティングエリアへの移動端末ＵＥの位置登録処理を行う。
【００４６】
具体的には、ＵＭＴＳ位置登録処理部２２は、状態決定部２５によってＬＴＥ方式を非サポート状態にすることが決定された場合、ＬＴＥサポート関連情報を含まない「ＡＴＴＡＣＨ  ＲＥＱＵＥＳＴ／ＲＯＵＴＩＮＧ  ＡＲＥＡ  ＵＰＤＡＴＥ  ＲＥＱＵＥＳＴ」を交換機ＳＧＳＮに送信する。
【００４７】
ここで、「ＡＴＴＡＣＨ  ＲＥＱＵＥＳＴ／ＲＯＵＴＩＮＧ  ＡＲＥＡ  ＵＰＤＡＴＥ  ＲＥＱＵＥＳＴ」は、ルーティングエリアへの位置登録を要求する位置登録要求信号である。なお、ＵＭＴＳ位置登録処理部２２は、ルーティングエリアへの位置登録状態（初回登録又は更新）に応じて、「ＡＴＴＡＣＨ」又は「ＲＯＵＴＩＮＧ  ＡＲＥＡ  ＵＰＤＡＴＥ」のいずれかを行う。以下では、これらの処理を「ＡＴＴＡＣＨ／ＲＯＵＴＩＮＧ  ＡＲＥＡ  ＵＰＤＡＴＥ」と総称して説明を行う。
【００４８】
また、ＬＴＥサポート関連情報（関連情報）とは、ＬＴＥ方式をサポートしていることを示す関連情報であり、例えば、「１（サポート）」に設定された「ＰＳ  ｉｎｔｅｒ−ＲＡＴ  ＨＯ  ｔｏ  Ｅ−ＵＴＲＡＮ  Ｓ１  ｍｏｄｅ  ｃａｐａｂｉｌｉｔｙ」、「ＣＳＦＢ  ｃａｐａｂｉｌｉｔｙ」、「ＩＳＲ  ｓｕｐｐｏｒｔ」、「ＳＲＶＣＣ  ｔｏ  ＧＥＲＡＮ／ＵＴＲＡＮ  ｃａｐａｂｉｌｉｔｙ」及び「ＥＰＣ  ｃａｐａｂｉｌｉｔｙ」などを含む。
【００４９】
図７は、「ＡＴＴＡＣＨ  ＲＥＱＵＥＳＴ／ＲＯＵＴＩＮＧ  ＡＲＥＡ  ＵＰＤＡＴＥ  ＲＥＱＵＥＳＴ」のメッセージフォーマットの一例である。図７（ａ）（ｂ）に示すメッセージフォーマットには、「ＭＳ  ｎｅｔｗｏｒｋ  ｃａｐａｂｉｌｉｔｙ」が含まれており、「ＭＳ  ｎｅｔｗｏｒｋ  ｃａｐａｂｉｌｉｔｙ」は、図７（ｃ）に示すように、上述のＬＴＥサポート関連情報を含む。ＵＭＴＳコネクション設定処理部２１は、図７（ａ）又は（ｂ）に示すメッセージフォーマットを使用し、かつ、図７（ｃ）のＬＴＥサポート関連情報を設定しないことによって、ＬＴＥサポート関連情報を含まない「ＡＴＴＡＣＨ  ＲＥＱＵＥＳＴ／ＲＯＵＴＩＮＧ  ＡＲＥＡ  ＵＰＤＡＴＥ  ＲＥＱＵＥＳＴ」を生成してもよい。
【００５０】
図８は、「ＡＴＴＡＣＨ  ＲＥＱＵＥＳＴ／ＲＯＵＴＩＮＧ  ＡＲＥＡ  ＵＰＤＡＴＥ  ＲＥＱＵＥＳＴ」のメッセージフォーマットの別の例である。図８（ｃ）に示すメッセージフォーマットには、ＬＴＥサポート関連情報が含まれていない。ＵＭＴＳコネクション設定処理部２１は、図８に示すメッセージフォーマットを使用することによって、ＬＴＥサポート関連情報を含まない「ＡＴＴＡＣＨ  ＲＥＱＵＥＳＴ／ＲＯＵＴＩＮＧ  ＡＲＥＡ  ＵＰＤＡＴＥ  ＲＥＱＵＥＳＴ」を生成してもよい。
【００５１】
また、ＵＭＴＳ位置登録処理部２２は、状態決定部２５によってＬＴＥ方式をサポート状態にすることが決定された場合、ＬＴＥサポート関連情報を含む「ＡＴＴＡＣＨ  ＲＥＱＵＥＳＴ／ＲＯＵＴＩＮＧ  ＡＲＥＡ  ＵＰＤＡＴＥ  ＲＥＱＵＥＳＴ」を交換機ＳＧＳＮに送信する。ＵＭＴＳ位置登録処理部２２は、図７（ａ）〜（ｃ）に示すメッセージフォーマットを使用し、かつ、「ＬＴＥサポート関連情報」を設定することによって、ＬＴＥサポート関連情報を含む「ＡＴＴＡＣＨ  ＲＥＱＵＥＳＴ／ＲＯＵＴＩＮＧ  ＡＲＥＡ  ＵＰＤＡＴＥ  ＲＥＱＵＥＳＴ」を生成してもよい。
【００５２】
ＬＴＥコネクション設定処理部２３は、無線基地局ｅＮＢとのコネクション設定処理を行う。具体的には、ＬＴＥコネクション設定処理部２３は、「ＲＲＣ  ＣＯＮＮＥＣＴＩＯＮ  ＲＥＱＵＥＳＴ」を無線基地局ｅＮＢに送信する。また、ＬＴＥコネクション設定処理部２３は、無線基地局ｅＮＢからの「ＲＲＣ  ＣＯＮＮＥＣＴＩＯＮ  ＳＥＴＵＰ」の受信に応じて、「ＲＲＣ  ＣＯＮＮＥＣＴＩＯＮ  ＳＥＴＵＰ  ＣＯＭＰＬＥＴＥ」を無線基地局ｅＮＢに送信する。
【００５３】
ＬＴＥ位置登録処理部２４は、トラッキングエリアへの移動端末ＵＥの位置登録処理を行う。具体的には、ＵＭＴＳ位置登録処理部２２は、「ＡＴＴＡＣＨ  ＲＥＱＵＥＳＴ／ＴＲＡＣＫＩＮＧ  ＡＲＥＡ  ＵＰＤＡＴＥ  ＲＥＱＵＥＳＴ」を交換機ＭＭＥに送信する。ここで、「ＡＴＴＡＣＨ  ＲＥＱＵＥＳＴ／ＴＲＡＣＫＩＮＧ  ＡＲＥＡ  ＵＰＤＡＴＥ  ＲＥＱＵＥＳＴ」は、トラッキングエリアへの位置登録を要求する位置登録要求信号である。
【００５４】
また、ＬＴＥ位置登録処理部２４は、交換機ＭＭＥからの「ＡＴＴＡＣＨ  ＲＥＪＥＣＴ／ＴＲＡＣＫＩＮＧ  ＡＲＥＡ  ＵＰＤＡＴＥ  ＲＥＪＥＣＴ」を受信する。ここで、「ＡＴＴＡＣＨ  ＲＥＪＥＣＴ／ＴＲＡＣＫＩＮＧ  ＡＲＥＡ  ＵＰＤＡＴＥ  ＲＥＪＥＣＴ」は、トラッキングエリアへの位置登録の失敗を示す位置登録失敗信号である。また、「ＡＴＴＡＣＨ  ＲＥＪＥＣＴ／ＴＲＡＣＫＩＮＧ  ＡＲＥＡ  ＵＰＤＡＴＥ  ＲＥＪＥＣＴ」は、「Ｆａｉｌｕｒｅ  Ｃａｕｓｅ」を含む。「Ｆａｉｌｕｒｅ  Ｃａｕｓｅ」は、トラッキングエリアへの位置登録の失敗原因を示すものであり、例えば、「＃１５（トラッキングエリア内に適切なセルがない）」などがある。
【００５５】
なお、ＵＭＴＳ位置登録処理部２２は、トラッキングエリアへの位置登録状態（初回登録又は更新）に応じて、「ＡＴＴＡＣＨ」又は「ＴＲＡＣＫＮＧ  ＡＲＥＡ  ＵＰＤＡＴＥ」のいずれかを行う。以下では、以下では、これらの処理を「ＡＴＴＡＣＨ／ＴＲＡＣＫＩＮＧ  ＡＲＥＡ  ＵＰＤＡＴＥ」と総称して説明を行う。
【００５６】
状態決定部２５は、ＬＴＥ方式をサポートするサポート状態（Ａｃｔｉｖａｔｅｄ）にするか、ＬＴＥ方式をサポートしない非サポート状態（Ｄｅａｃｔｉｖａｔｅｄ）にするかを決定する。具体的には、状態決定部２５は、「Ｆａｉｌｕｒｅ  Ｃａｕｓｅ  ＃１５」を含む「ＡＴＴＡＣＨ  ＲＥＪＥＣＴ／ＴＲＡＣＫＩＮＧ  ＡＲＥＡ  ＵＰＤＡＴＥ  ＲＥＱＵＥＳＴ」が交換機ＭＭＥから受信された場合、ＬＴＥ方式を非サポート状態にすることを決定する。なお、状態決定部２５は、ＬＴＥ方式をサポート状態にすることが決定されるまでは、ＬＴＥ方式を非サポート状態に維持する。
【００５７】
また、状態決定部２５は、他のＰＬＭＮが選択された場合、又は、移動端末ＵＥの電源がオンに設定された場合、ＬＴＥ方式をサポート状態にすることを決定する。また、状態決定部２５は、移動端末ＵＥの電源がオフに設定された場合、ＬＴＥ方式をサポート状態とすることを示すサポート状態識別子を記憶部３０に記憶させてもよい。この場合、状態決定部２５は、移動端末ＵＥの電源がオンに設定された場合、記憶部３０に記憶されたサポート状態識別子によってＬＴＥ方式をサポート状態にすることを決定してもよい。
【００５８】
ここで、移動端末ＵＥの電源のオン、オフは、移動端末ＵＥのユーザからの指示を受け付けることによって設定されてもよいし、タイマーなどによって所定時間に自動的に設定されるものであってもよい。また、状態決定部２５は、ＬＴＥ方式を非サポート状態にすることが決定されるまでは、ＬＴＥ方式をサポート状態に維持する。
【００５９】
＜移動通信システムの動作＞
次に、以上のように構成された移動通信システムの動作について説明する。
（１）非サポート状態（Ｄｅａｃｔｉｖａｔｅｄ）
図９は、移動端末ＵＥが、ＬＴＥ方式を非サポート状態にして通信を開始する動作を示すシーケンス図である。図９において、移動端末ＵＥは、ＵＭＴＳセルとＬＴＥセルとのいずれでも通信可能な機能を備えている。また、移動端末ＵＥは、ホームＰＬＭＮ又はローミング先のＰＬＭＮのいずれかに在圏しているものとする。ホームＰＬＭＮ及びローミング先のＰＬＭＮは、いずれもＵＭＴＳセルとＬＴＥセルを提供する。なお、移動端末ＵＥがホームＰＬＭＮに在圏している場合、移動端末ＵＥとホームＰＬＭＮとの間では、ＵＭＴＳ方式の通信サービスを提供するための契約（以下、ＵＭＴＳ契約）が行われているが、ＬＴＥ方式の通信サービスを提供するための契約（以下、ＬＴＥ契約）が行われていないものとする。一方、移動端末ＵＥがローミング先のＰＬＭＮに在圏している場合、ローミング先のＰＬＭＮとホームＰＬＭＮとの間では、ＵＭＴＳ方式のローミングサービスを提供するための契約（以下、ＵＭＴＳローミング契約）が行われているが、ＬＴＥ方式のローミングサービスを提供するための契約（以下、ＬＴＥローミング契約）が行われていないものとする。
【００６０】
ＵＭＴＳセルとＬＴＥセルとの重複エリアにおいて、ＵＭＴＳセルに在圏する移動端末ＵＥは、ＬＴＥサポート識別子である「Ｐｒｅ−ｒｅｄｉｒｅｃｔｉｏｎ  ｉｎｆｏ」を含む「ＲＲＣ  ＣＯＮＮＥＣＴＩＯＮ  ＲＥＱＵＥＳＴ」を無線制御装置ＲＮＣに送信する（ステップＳ１０１）。無線制御装置ＲＮＣは、移動端末ＵＥからの「ＲＲＣ  ＣＯＮＮＥＣＴＩＯＮ  ＲＥＱＵＥＳＴ」にＬＴＥサポート識別子が含まれるので、ＬＴＥセルへの移行指示である「Ｒｅｄｉｒｅｃｔｉｏｎ  ｉｎｆｏ」を含む「ＲＲＣ  ＣＯＮＮＥＣＴＩＯＮ  ＲＥＪＥＣＴ」を移動端末ＵＥに送信する（ステップＳ１０２）。
【００６１】
移動端末ＵＥは、無線制御装置ＲＮＣからの「ＲＲＣ  ＣＯＮＮＥＣＴＩＯＮ  ＲＥＪＥＣＴ」に含まれる移行指示に従って、ＬＴＥセルに移行し、「ＲＲＣ  ＣＯＮＮＥＣＴＩＯＮ  ＲＥＱＵＥＳＴ」を無線基地局ｅＮＢに送信する（ステップＳ１０３）。無線基地局ｅＮＢは、移動端末ＵＥからの「ＲＲＣ  ＣＯＮＮＥＣＴＩＯＮ  ＲＥＱＵＥＳＴ」に応じて、「ＲＲＣ  ＣＯＮＮＥＣＴＩＯＮ  ＳＥＴＵＰ」を移動端末ＵＥに送信する（ステップＳ１０４）。移動端末ＵＥは、無線基地局ｅＮＢからの「ＲＲＣ  ＣＯＮＮＥＣＴＩＯＮ  ＳＥＴＵＰ」に応じて、「ＲＲＣ  ＣＯＮＮＥＣＴＩＯＮ  ＳＥＴＵＰ  ＣＯＭＰＬＥＴＥ」を無線基地局ｅＮＢに送信し、無線基地局ｅＮＢとのコネクション設定処理を完了する（ステップＳ１０５）。なお、「ＲＲＣ  ＣＯＮＮＥＣＴＩＯＮ  ＳＥＴＵＰ  ＣＯＭＰＬＥＴＥ」には、ＬＴＥシステムでの通信を開始するためにトラッキングエリアへの位置登録を要求する「ＡＴＴＡＣＨ  ＲＥＱＵＥＳＴ／ＴＲＡＣＫＩＮＧ  ＡＲＥＡ  ＵＰＤＡＴＥ  ＲＥＱＵＥＳＴ」が含まれている。
【００６２】
無線基地局ｅＮＢは、移動端末ＵＥからの「ＲＲＣ  ＣＯＮＮＥＣＴＩＯＮ  ＳＥＴＵＰ  ＣＯＭＰＬＥＴＥ」に含まれる「ＡＴＴＡＣＨ  ＲＥＱＵＥＳＴ／ＴＲＡＣＫＩＮＧ  ＡＲＥＡ  ＵＰＤＡＴＥ  ＲＥＱＵＥＳＴ」を交換機ＭＭＥに送信する（ステップＳ１０６）。交換機ＭＭＥは、移動端末ＵＥからの「ＡＴＴＡＣＨ  ＲＥＱＵＥＳＴ／ＴＲＡＣＫＩＮＧ  ＡＲＥＡ  ＵＰＤＡＴＥ  ＲＥＱＵＥＳＴ」に応じて、加入者管理サーバＨＳＳ（図示なし）との間でトラッキングエリアへの位置登録処理を行う（Ｓ１０７）。
【００６３】
本シーケンス図では、上述のように、移動端末ＵＥがホームＰＬＭＮに在圏する場合は、移動端末ＵＥとホームＰＬＭＮとの間でＬＴＥ契約が行われておらず、移動端末ＵＥがローミング先のＰＬＭＮに在圏する場合は、ローミング先のＰＬＭＮとホームＰＬＭＮとの間でＬＴＥローミング契約が行われていないので、移動端末ＵＥのトラッキングエリアへの位置登録処理が失敗する。交換機ＭＭＥは、「Ｆａｉｌｕｒｅ  Ｃａｕｓｅ  ＃１５（トラッキングエリア内に適切なセルがない）」により位置登録に失敗したことを示す「ＡＴＴＡＣＨ  ＲＥＪＥＣＴ／ＴＲＡＣＫＩＮＧ  ＡＲＥＡ  ＵＰＤＡＴＥ  ＲＥＪＥＣＴ」を移動端末ＵＥに送信する（ステップＳ１０８）。
【００６４】
無線基地局ｅＮＢは、交換機ＭＭＥからの指示（図示なし）に応じて、ステップＳ１０３〜Ｓ１０５で設定したＲＲＣコネクションの解放を要求する「ＲＲＣ  ＣＯＮＮＥＣＴＩＯＮ  ＲＥＬＥＡＳＥ」を移動端末ＵＥに送信する（ステップＳ１０９）。なお、「ＲＲＣ  ＣＯＮＮＥＣＴＩＯＮ  ＲＥＬＥＡＳＥ」には、ＵＭＴＳセルの移行指示が含まれている。ＵＭＴＳセルへの移行指示としては、例えば、「Ｒｅｄｉｒｅｃｔｉｏｎ  ｉｎｆｏ」が用いられる。
【００６５】
移動端末ＵＥは、無線基地局ｅＮＢからの「ＲＲＣ  ＣＯＮＮＥＣＴＩＯＮ  ＲＥＬＥＡＳＥ」に応じて、ＲＲＣコネクションを解放する「ＲＲＣ  ＣＯＮＮＥＣＴＩＯＮ  ＲＥＬＥＡＳＥ  ＣＯＭＰＬＥＴＥ」を無線基地局ｅＮＢに送信する（ステップＳ１１０）。また、移動端末ＵＥは、無線基地局ｅＮＢからの「ＲＲＣ  ＣＯＮＮＥＣＴＩＯＮ  ＲＥＬＥＡＳＥ」に含まれる移行指示に従って、ＵＭＴＳセルに移行する。
【００６６】
移動端末ＵＥは、ステップＳ１０８における「ＡＴＴＡＣＨ  ＲＥＪＥＣＴ／ＴＲＡＣＫＩＮＧ  ＡＲＥＡ  ＵＰＤＡＴＥ  ＲＥＱＵＥＳＴ」の受信に応じて、ＬＴＥ方式を非サポート状態にすることを決定する（ステップＳ１１１）。
【００６７】
移動端末ＵＥは、ＬＴＥサポート識別子を含まない「ＲＲＣ  ＣＯＮＮＥＣＴＩＯＮ  ＲＥＱＵＥＳＴ」を無線制御装置ＲＮＣに送信する（ステップＳ１１２）。無線制御装置ＲＮＣは、移動端末ＵＥからの「ＲＲＣ  ＣＯＮＮＥＣＴＩＯＮ  ＲＥＱＵＥＳＴ」にＬＴＥサポート識別子が含まれないので、ＲＲＣコネクションを設定する「ＲＲＣ  ＣＯＮＮＥＣＴＩＯＮ  ＳＥＴＵＰ」を移動端末ＵＥに送信する（ステップＳ１１３）。
【００６８】
移動端末ＵＥは、無線制御装置ＲＮＣからの「ＲＲＣ  ＣＯＮＮＥＣＴＩＯＮ  ＳＥＴＵＰ」に応じて、ＬＴＥ非サポート識別子及びＬＴＥ−ＨＯ非サポート識別子を含む「ＲＲＣ  ＣＯＮＮＥＣＴＩＯＮ  ＳＥＴＵＰ  ＣＯＭＰＬＥＴＥ」を送信し、無線制御装置ＲＮＣとのコネクション設定処理を完了する（ステップＳ１１４）。
【００６９】
移動端末ＵＥは、ＵＭＴＳシステムでの通信を開始するために、ルーティングエリアへの位置登録を要求する「ＡＴＴＡＣＨ  ＲＥＱＵＥＳＴ／ＲＯＵＴＩＮＧ  ＡＲＥＡ  ＵＰＤＡＴＥ  ＲＥＱＵＥＳＴ」を交換機ＳＧＳＮに送信する（ステップＳ１１５）。交換機ＳＧＳＮは、移動端末ＵＥからの「ＡＴＴＡＣＨ  ＲＥＱＵＥＳＴ／ＲＯＵＴＩＮＧ  ＡＲＥＡ  ＵＰＤＡＴＥ  ＲＥＱＵＥＳＴ」に応じて、加入者管理サーバＨＳＳ（図示なし）との間でルーティングエリアへの位置登録処理を行う（Ｓ１１６）。
【００７０】
本シーケンス図では、上述のように、移動端末ＵＥがホームＰＬＭＮに在圏する場合は、移動端末ＵＥとホームＰＬＭＮとの間でＵＭＴＳ契約が行われており、移動端末ＵＥがローミング先のＰＬＭＮに在圏する場合は、ローミング先のＰＬＭＮとホームＰＬＭＮとの間でＵＭＴＳローミング契約が行われているので、移動端末ＵＥのルーティングエリアへの位置登録処理が成功する。交換機ＳＧＳＮは、ルーティングエリアへの位置登録の成功を通知する「ＡＴＴＡＣＨ  ＡＣＣＥＰＴ／ＲＯＵＴＩＮＧ  ＡＲＥＡ  ＵＰＤＡＴＥ  ＡＣＣＥＰＴ」を移動端末ＵＥに送信する（ステップＳ１１７）。
【００７１】
移動端末ＵＥは、交換機ＳＧＳＮからの「ＡＴＴＡＣＨ  ＡＣＣＥＰＴ／ＲＯＵＴＩＮＧ  ＡＲＥＡ  ＵＰＤＡＴＥ  ＡＣＣＥＰＴ」に応じて「ＡＴＴＡＣＨ  ＣＯＭＰＬＥＴＥ／ＲＯＵＴＩＮＧ  ＡＲＥＡ  ＵＰＤＡＴＥ  ＣＯＭＰＬＥＴＥ」を交換機ＳＧＳＮに送信する（ステップＳ１１８）。移動端末ＵＥは、ルーティングエリアへの位置登録処理を完了し、ＵＭＴＳシステムでの通信を行う（ステップＳ１１９）。
【００７２】
（２）サポート状態（Ａｃｔｉｖａｔｅｄ）
図１０は、ＬＴＥ方式をサポート状態にして通信を開始する動作を示すシーケンス図である。図１０において、移動端末ＵＥは、ＬＴＥ方式を非サポート状態にされているものとする。
【００７３】
移動端末ＵＥは、ＰＬＭＮ選択処理が行われた場合、ＬＴＥ方式をサポート状態にすることを決定する（ステップＳ２０１）。ここで、ＰＬＭＮ選択処理とは、ＵＭＴＳセル及びＬＴＥセルを提供するＰＬＭＮを選択する処理であり、例えば、ローミング先のＰＬＭＮから、ローミング元（ホーム）のＰＬＭＮに移行する場合などに行われる。本シーケンスにおいては、移動端末ＵＥは、ＰＬＭＮ選択処理において選択されたＰＬＭＮとの間で、ＵＭＴＳ方式及びＬＴＥ方式の双方の通信サービスを提供するための契約が行われているものとする。
【００７４】
選択されたＰＬＭＮのＵＭＴＳセルとＬＴＥセルとの重複エリアにおいて、ＵＭＴＳセルに在圏する移動端末ＵＥは、図９のステップＳ１０１〜Ｓ１０５で説明したように、無線制御装置ＲＮＣからのＬＴＥセルへの移行指示に従って、ＬＴＥセルに移行し、無線基地局ｅＮＢとのコネクション設定処理を行う（ステップＳ２０２〜Ｓ２０６）。
【００７５】
移動端末ＵＥは、選択されたＰＬＭＮのＬＴＥシステムでの通信を開始するために、トラッキングエリアへの位置登録を要求する「ＡＴＴＡＣＨ  ＲＥＱＵＥＳＴ／ＴＲＡＣＫＩＮＧ  ＡＲＥＡ  ＵＰＤＡＴＥ  ＲＥＱＵＥＳＴ」を交換機ＭＭＥに送信する（ステップＳ２０７）。交換機ＭＭＥは、移動端末ＵＥからの「ＡＴＴＡＣＨ  ＲＥＱＵＥＳＴ／ＴＲＡＣＫＩＮＧ  ＡＲＥＡ  ＵＰＤＡＴＥ  ＲＥＱＵＥＳＴ」に応じて、加入者管理サーバＨＳＳ（図示なし）との間でトラッキングエリアへの位置登録処理を行う（Ｓ２０８）。
【００７６】
本シーケンス図では、上述のように、移動端末ＵＥとＰＬＭＮとの間でＬＴＥ方式の通信サービスを提供するための契約が行われているので、交換機ＭＭＥは、トラッキングエリアへの位置登録処理に成功する。交換機ＭＭＥは、トラッキングエリアへの位置登録の成功を通知する「ＡＴＴＡＣＨ  ＡＣＣＥＰＴ／ＴＲＡＣＫＩＮＧ  ＡＲＥＡ  ＵＰＤＡＴＥ  ＡＣＣＥＰＴ」を移動端末ＵＥに送信する（ステップＳ２０９）。
【００７７】
移動端末ＵＥは、交換機ＭＭＥからの「ＡＴＴＡＣＨ  ＡＣＣＥＰＴ／ＴＲＡＣＫＩＮＧ  ＡＲＥＡ  ＵＰＤＡＴＥ  ＡＣＣＥＰＴ」に応じて「ＡＴＴＡＣＨ  ＣＯＭＰＬＥＴＥ／ＴＲＡＣＫＩＮＧ  ＡＲＥＡ  ＵＰＤＡＴＥ  ＣＯＭＰＬＥＴＥ」を交換機ＭＭＥに送信する（ステップＳ２１０）。移動端末ＵＥは、トラッキングエリアへの位置登録処理を完了し、ＬＴＥシステムでの通信を行う（ステップＳ２１１）。
【００７８】
なお、図１０のステップＳ２０１においては、移動端末ＵＥが、ＰＬＭＮ選択処理が行われた場合に、ＬＴＥ方式をサポート状態にすることを決定したが、移動端末ＵＥの電源がオンに設定された場合に、ＬＴＥ方式をサポート状態にすることを決定してもよい。また、移動端末ＵＥの電源がオフに設定された場合に記憶部３０に記憶されたサポート状態識別子を参照して、移動端末ＵＥは、ＬＴＥ方式をサポート状態にすることを決定してもよい。
【００７９】
＜作用・効果＞
第１の実施形態に係る移動通信システムによれば、トラッキングエリアへの位置登録に失敗したことを示す「ＡＴＴＡＣＨ  ＲＥＪＥＣＴ／ＴＲＡＣＫＩＮＧ  ＡＲＥＡ  ＵＰＤＡＴＥ  ＲＥＪＥＣＴ（位置登録失敗信号）」が受信された場合、ＬＴＥ方式を非サポート状態にして無線制御装置ＲＮＣとのコネクション設定処理を行うので、移動端末ＵＥは、ＬＴＥ方式での通信を開始できずにＵＭＴＳセルに戻ったときにも、リダイレクション技術によりＬＴＥセルに移行してしまうことなく、ＵＭＴＳ方式での通信を開始することができる。
【００８０】
上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８１】
ＵＥ…移動端末、ＮＢ、ｅＮＢ…無線基地局、ＲＮＣ…無線制御装置、ＳＧＳＮ、ＭＭＥ…交換機、ＨＳＳ…加入者管理サーバ、１０…送受信部、２０…通信制御部、３０…記憶部、２１…ＵＭＴＳコネクション設定処理部、２２…ＵＭＴＳ位置登録処理部、２３…ＬＴＥコネクション設定処理部、２４…ＬＴＥ位置登録処理部、２５…状態決定部
【図１】
2011142545.tif 000003
【図２】
2011142545.tif 000004
【図３】
2011142545.tif 000005
【図４】
2011142545.tif 000006
【図５】
2011142545.tif 000007
【図６】
2011142545.tif 000008
【図７】
2011142545.tif 000009
【図８】
2011142545.tif 000010
【図９】
2011142545.tif 000011
【図１０】
2011142545.tif 000012
【図１１】
2011142545.tif 000013